(57)【要約】【課題】利用者がよく利用する目的地への配車依頼をワンタッチで行うことを可能にする。【解決手段】利用者が配車を依頼するための操作端末であって、利用者が定めたショートカット操作と目的地とを関連付けて登録するショートカット登録手段１１と、目的地をショートカット操作で選択可能なショートカット選択手段１２と、ショートカット選択手段１２で選択された目的地を含む配車要求情報を配車サーバに送信する配車要求送信手段１６と、を備える。操作端末１０は、利用者が所持する専用端末、家電製品のリモコン、電話機、スマートフォン若しくはタブレット端末、パーソナルコンピュータ、通信機能が備わった杖若しくは歩行器、又は施設に設置された専用機器のいずれかであってよい。【選択図】図１
2018173775.tif 000002
【特許請求の範囲】
【請求項１】
利用者が配車を依頼するための操作端末であって、
前記利用者が定めたショートカット操作と目的地とを関連付けて登録するショートカット登録手段と、
前記目的地を前記ショートカット操作で選択可能なショートカット選択手段と、
前記ショートカット選択手段で選択された目的地を含む配車要求情報を配車サーバに送信する配車要求送信手段と、
を備えることを特徴とする操作端末。
【請求項２】
前記操作端末は、前記利用者が所持する専用端末、家電製品のリモコン、電話機、スマートフォン若しくはタブレット端末、パーソナルコンピュータ、通信機能を備えた杖若しくは歩行器、又は施設に設置された専用機器のいずれかであることを特徴とする請求項１に記載の操作端末。
【請求項３】
前記ショートカット選択手段で選択され、送信された前記配車要求情報は、配車希望場所として、前記利用者の居所、現在地又は出発地の情報のいずれかを含むことを特徴とする請求項１又は２に記載の操作端末。
【請求項４】
前記ショートカット選択手段は、
前記操作端末で第１の所定の操作をすることによって、前記目的地と前記配車希望場所の情報を音声、文字、画像のいずれか又はそれらを組合せて確認するための確認信号を出力する確認信号出力手段と、
前記確認信号が出力された後に、前記操作端末で第２の所定の操作をすることによって、配車要求信号の送信指示を出力する配車要求送信指示手段と、
を更に備えることを特徴とする請求項３に記載の操作端末。
【請求項５】
利用者の要求に応じて配車を行う配車サーバであって、
前記利用者が定めたショートカット情報と目的地とを関連付けて前記利用者ごとに登録するショートカット登録ＤＢと、
前記利用者の操作端末において選択された前記ショートカット情報を受信するショートカット受信手段と、
前記ショートカット登録ＤＢに基づいて、前記操作端末のショートカット選択手段によって選択された目的地への配車希望場所へ配車を行う配車手段と、
を備えることを特徴とする配車サーバ。
【請求項６】
前記ショートカット情報は、前記配車希望場所として、前記利用者の居所、現在地又は出発地の情報のいずれかを含むことを特徴とする請求項５に記載の配車サーバ。
【請求項７】
前記操作端末から送信されたショートカット情報から取得した前記目的地及び前記配車希望場所の情報を、配車要求確認情報として前記操作端末に送信する配車要求確認送信手段を更に備えることを特徴とする請求項５又は６に記載の配車サーバ。
【請求項８】
前記操作端末の位置情報と複数の目的地とを表示した地図情報を前記操作端末に送信する地図情報送信手段を備えることを特徴とする請求項５から７までのいずれか１項に記載の配車サーバ。
【請求項９】
利用者が配車を依頼するための情報を入力する入力方法であって、
前記利用者が定めたショートカット操作と目的地とを関連付けて登録するステップと、
前記目的地をショートカット操作で選択可能とするステップと、
前記ショートカット操作で選択された目的地を含む配車要求情報を配車サーバに送信するステップと、
を含むことを特徴とする入力方法。
【請求項１０】
請求項９に記載の入力方法の各ステップをコンピュータに実行させることを特徴とするプログラム。
【発明の詳細な説明】
【技術分野】
【０００１】
本発明は、利用者が配車を依頼するための配車システムに関する。
【背景技術】
【０００２】
オールドタウン（若い世代が他地域に移住したり、少子化が進んだりして、住民が高齢者中心となった地区）に住むような高齢者は、居所の近くの場所にすら徒歩で移動することが困難になりつつある。そのような高齢者は、電話などによってタクシー会社に配車依頼をすることになるが、顧客の配車依頼に対し、迅速にタクシーなどの配車を可能にする配車システムが知られている（例えば、特許文献１参照）。特許文献１に記載の配車システムは、車両状況に関するデータ収集が常時可能か否かに関わらず、配車先に近く、乗務員の配車への参加意志が反映できる配車を実施でき、また配車後のデータ収集が常時できないケースでも遺漏なく配車車両の状態管理を行うことを目的としている。
【先行技術文献】
【特許文献】
【０００３】
【特許文献１】特開２００４−２４０７４２号公報
【発明の概要】
【発明が解決しようとする課題】
【０００４】
しかし、高齢者は、電話などにより、タクシー会社に連絡することが煩わしくなることが多い。また、高齢者がよく移動する目的地は、例えば、自宅、駅、バス停、友人宅、病院、福祉センター、スーパーなどであり、よく利用する目的地の数は限定的である。
【０００５】
したがって、本発明は、上記のような課題に鑑み、利用者がよく利用する目的地への配車依頼をワンタッチで行うことが可能な配車システムを提供することを目的とする。
【課題を解決するための手段】
【０００６】
上記課題を解決するため、本発明は、以下のような解決手段を提供する。
【０００７】
（１）利用者が配車を依頼するための操作端末であって、前記利用者が定めたショートカット操作と目的地とを関連付けて登録するショートカット登録手段と、前記目的地を前記ショートカット操作で選択可能なショートカット選択手段と、前記ショートカット選択手段で選択された目的地を含む配車要求情報を配車サーバに送信する配車要求送信手段と、を備えることを特徴とする。
【０００８】
（２）上記（１）の構成において、前記操作端末は、前記利用者が所持する専用端末、家電製品のリモコン、電話機、スマートフォン若しくはタブレット端末、パーソナルコンピュータ、通信機能を備えた杖若しくは歩行器、又は施設に設置された専用機器のいずれかであることを特徴とする。
【０００９】
（３）上記（１）又は（２）の構成において、前記ショートカット選択手段で選択され、送信された前記配車要求情報は、配車希望場所として、前記利用者の居所、現在地又は出発地の情報のいずれかを含むことを特徴とする。
【００１０】
（４）上記（３）の構成において、前記ショートカット選択手段は、前記操作端末で第１の所定の操作をすることによって、前記目的地と前記配車希望場所の情報を音声、文字、画像のいずれか又はそれらを組合せて確認するための確認信号を出力する確認信号出力手段と、前記確認信号が出力された後に、前記操作端末で第２の所定の操作をすることによって、配車要求信号の送信指示を出力する配車要求送信指示手段と、を更に備えることを特徴とする。
【００１１】
（５）利用者の要求に応じて配車を行う配車サーバであって、前記利用者が定めたショートカット情報と目的地とを関連付けて前記利用者ごとに登録するショートカット登録ＤＢと、前記利用者の操作端末において選択された前記ショートカット情報を受信するショートカット受信手段と、前記ショートカット登録ＤＢに基づいて、前記操作端末のショートカット選択手段によって選択された目的地への配車希望場所へ配車を行う配車手段と、を備えることを特徴とする。
【００１２】
（６）上記（５）の構成において、前記ショートカット情報は、前記配車希望場所として、前記利用者の居所、現在地又は出発地の情報のいずれかを含むことを特徴とする。
【００１３】
（７）上記（５）又は（６）の構成において、前記操作端末から送信されたショートカット情報から取得した前記目的地及び前記配車希望場所の情報を、配車要求確認情報として前記操作端末に送信する配車要求確認送信手段を更に備えることを特徴する。
【００１４】
（８）上記（５）から（７）までのいずれか１つの構成において、前記操作端末の位置情報と複数の目的地とを表示した地図情報を前記操作端末に送信する地図情報送信手段を備えることを特徴とする。
【００１５】
（９）利用者が配車を依頼するための情報を入力する入力方法であって、前記利用者が定めたショートカット操作と目的地とを関連付けて登録するステップと、前記目的地をショートカット操作で選択可能とするステップと、前記ショートカット操作で選択された目的地を含む配車要求情報を配車サーバに送信するステップと、を含むことを特徴とする。
【００１６】
（１０）上記（９）に記載の入力方法の各ステップをコンピュータに実行させることを特徴とするプログラム。
【発明の効果】
【００１７】
本発明によれば、利用者がよく利用する目的地への配車依頼をワンタッチで行うことが可能な配車システムを提供することができる。
【図面の簡単な説明】
【００１８】
【図１】本発明の実施形態に係る配車システムの機能構成を示す図である。
【図２】配車システムに接続する車両端末の画面である。
【図３】ショートカット登録ＤＢに格納されるデータの例を示す図である。
【図４】操作端末の実施形態１としての専用端末の概略図である。
【図５】専用端末に表示される画面の例である。
【図６】操作端末の実施形態２としての家電製品のリモコンの概略図である。
【図７】操作端末の実施形態３としての電話機の概略図である。
【図８】操作端末の実施形態４としてのタブレット端末又はスマートフォンの概略図である。
【図９】操作端末の実施形態５としてのパーソナルコンピュータの概略図である。
【図１０】操作端末の実施形態６としての杖、実施形態７としての歩行器、及び実施形態８としての施設に設置された専用機器の概略図である。
【発明を実施するための形態】
【００１９】
以下、添付図面を参照して、本発明を実施するための形態（以下、実施形態）について詳細に説明する。以降の図においては、実施形態の説明の全体を通して同じ要素には同じ番号又は符号を付している。
【００２０】
図１から図１０を参照して、本発明の実施形態に係る配車システムの説明をする。
【００２１】
図１に示すように、本配車システムにおける配車サーバ１００（以下、単にサーバと呼ぶことがある）は、利用者が操作する操作端末１０（以下、単に端末と呼ぶことがある）と、車両１１０（以下、単に車両と呼ぶことがある）に搭載された車両端末１１３とに無線ネットワークを介して接続されている。以下、各装置について説明する。
【００２２】
（車両）
図１に示すように、車両１１０は、例えば、一般乗用旅客自動車運送事業の車両（タクシー、ハイヤー、その他の交通サービスに使用される車両）であり、主として、配車サーバ１００との通信を制御する配車サーバ通信部１１１と、車両１１０の現在位置を取得するＧＰＳ等の車両位置情報取得部１１２と、車両端末１１３とを備える。車両端末１１３は、表示装置１１３ａと入出力装置１１３ｂとを備える。
【００２３】
図２に示すように、車両端末１１３の表示装置１１３ａは、配車サーバ１００からの信号に応じて、地図１１１２と、利用者の現在地又は利用者が指定した場所である出発地１１１４から目的地１１１６の情報を表示する。また、車両端末１１３の入出力装置１１３ｂは、端末装置の物理ボタン、画面上に表示されたボタン、スピーカーを含む音声出力装置、及びマイクロフォンを含む音声入力装置を備えていてもよい。車両端末１１３は、表示装置、音声出力装置、音声入力装置を兼ね備えるタッチパネルを用いてもよく、カーナビゲーションシステムに組み込まれていてもよい。
【００２４】
（配車サーバ）
図１に示すように、配車サーバ１００は、ショートカット登録ＤＢ１０１と、ショートカット受信手段１０２と、配車手段１０３と、地図情報送信手段１０４と、配車要求確認送信手段１０５とを備える。
【００２５】
ショートカット登録ＤＢ１０１は、後述の「ショートカット情報」を利用者ごとに登録するデータベースである。ショートカット登録ＤＢ１０１について詳しくは後述する。
【００２６】
ショートカット受信手段１０２は、配車要求に含まれる利用者の操作端末１０において選択された「ショートカット情報」を受信して、配車手段１０３が配車を手配するために必要な情報を生成し、配車手段１０３に引き渡す。
【００２７】
配車手段１０３は、操作端末１０からの配車要求に基づいて、地域を走行する全ての車両の位置情報を取得し、配車要求にマッチする車両を探索し、探索の結果、利用者の要求に適した車両に対して、配車希望場所に向かうように指示する。本システムでは、配車手段１０３自体は公知の技術を用いるので、ここでは説明を省略する。
【００２８】
地図情報送信手段１０４は、操作端末１０の現在地周辺及び利用者がショートカットで指定した目的地周辺の地図情報を操作端末１０に送信する。
【００２９】
配車要求確認送信手段１０５、端末から送信されたショートカット情報に基づいて生成された配車要求を端末側に送信して、利用者に確認してもらうための機能を有する。
【００３０】
（操作端末）
操作端末１０は、利用者が所持し、利用者が選択した目的地を含む情報を、配車サーバ１００に送信するための端末である。操作端末１０は、後述するように、専用端末であってもよいし、既存の機器の制御プログラムを変更したものであってもよい。サーバに送信する情報で、出発地を省略した場合は、あらかじめ定められたデフォルト値（現在地、自宅、指定場所など）が選択される。操作端末１０は、主として、ショートカット登録手段１１と、ショートカット選択手段１２と、端末位置情報取得手段１３と、配車要求送信手段１６とを備える。
【００３１】
ショートカット登録手段１１は、利用者が端末上で行う所定の操作（例えば、短縮ボタンを押す、特定のキーワードを発するなど）を、少なくとも目的地を含む情報に関連付けて登録することを言う。ショートカットを登録することで、例えば、端末の「１」のボタンを押すと「自宅に帰る」、「２」のボタンを押すと「スーパーに行く」、「３」のボタンを押すと「病院に行く」というように、ワンタッチで目的の場所に行くための配車を配車サーバ１００に依頼することができる。
【００３２】
ショートカット選択手段１２は、ショートカット登録手段１１で登録した所定の操作を選択可能にし、サーバ側で配車が手配できる情報を生成して、配車サーバ１００に送信する。ただし、配車が手配できる情報のすべてを端末側で生成する必要はない。具体的には、ショートカット選択手段１２は、出発地（配車希望場所）と目的地を含む情報（これ以外にも乗車人数、配車希望時刻などの情報が最終的には必要となる）を、端末の所定の操作（例えば、上述したような端末の所定のボタンを押す、又は特定のキーワードを発音するなど）に関連付けた「ショートカット情報」を利用者に選択させる手段のことである。なお、ショートカットの選択は、物理ボタン、タッチパネルに表示されたボタン画像、音声入力のマイクなど、いずれの入力手段からでも行える。
【００３３】
また、前述したようにサーバ側でも、利用者ごとにショートカット情報を登録したショートカット登録ＤＢ１０１を備えているので、端末側からは、利用者ＩＤと選択したショートカットのＩＤ（番号）を指定するだけでもよい。サーバは、この情報だけでもショートカット登録ＤＢ１０１から配車に必要な情報を生成することができる。もちろん、サーバのショートカット登録ＤＢ１０１にかかわらず、配車が手配できる情報を端末側で生成してもよい。
【００３４】
図３（ａ）は、サーバ側のショートカット登録ＤＢ１０１に格納されるデータの例である。図示するように、このＤＢには、利用者ＩＤごとに、利用者の居所、及び複数のショートカット情報が登録される。例えば、利用者ＩＤ1010の利用者は、ショートカット１には、「現在地→自宅（帰宅）」、ショートカット２には、「自宅→〇〇スーパ(買物）」、ショートカット３には、「自宅→△△病院(通院）」、ショートカット４には、「自宅→〇□さん宅(友人宅訪問）」というように、自宅を中心にした目的地を登録している。
【００３５】
一方、利用者ＩＤ1011の利用者は、ショートカット１には、「現在地→自宅（帰宅）」は同じであるが、ショートカット２には、「現在地→〇●公民館」、ショートカット３には、「現在地→△▲病院」というように、現在地を中心とした目的地を登録している。また、利用者ＩＤ1012の利用者は、現在地、自宅、●●駅をそれぞれ出発地とする複数の目的地を登録している。
【００３６】
このように、ショートカット登録ＤＢ１０１には、利用者がよく利用するルートごとにショートカットを登録できる。登録できるショートカットの数に特に制限はない。また、同じ目的地であっても出発地が異なれば別々のショートカットとして登録してもよい。例えば、利用者ＩＤ1011のショートカット３とショートカット５では、目的地は「△▲病院」で同じであるが、出発地は「現在地」、「〇■さん宅」と異なっている。また、利用者が複数の操作端末１０を所持している場合は、操作端末１０ごとに別々のショートカットを登録してもよい。例えば、端末を使い分けて、仕事用のショートカットと遊び用のショートカットとを別にすることもできる。
【００３７】
図３（ｂ）は、端末側のショートカット登録手段１１に格納されるデータの例を示す図である。端末側のショートカット情報は、端末内の不揮発性メモリに記憶される。端末側のショートカット登録手段１１は、利用者が端末の所有者である自分自身に限定されるだけで、基本的には、サーバ側のショートカット登録ＤＢ１０１と同じである。端末側かサーバ側か、どちらのショートカット登録手段を使うかは、利用者が、場面や状況によって指定できるようにしてもよい。もちろん、端末側とサーバ側でショートカット情報の内容が異なっている場合は、両者を同期させるようにしてもよい。
【００３８】
また、図３（ｂ）で示すように、端末側のショートカット登録手段１１には、端末の特性（ハードウェア）に合わせたショートカット操作を登録できるようにしてもよい。例えば、ショートカット１，２，３には、端末の操作ボタンを使うが、ショートカット４，５には、所定のキーワードの音声１、音声２（例えば、「病院」、「スーパー」などの音声）を音声ショートカットとして登録すれば、仮に端末の操作ボタン（短縮ボタン）が３つしかなくても、それ以上のショートカット情報を登録できる。なお、音声ショートカットで登録される音声は「病院」や「自宅」であったとしても、「病院」には「○○市中央病院△△科」、「自宅」には緯度経度の位置情報や住所などが対応付けられており、端末別（ユーザ別）に「病院」や「自宅」が異なることは言うまでもない。
【００３９】
図１に戻り、端末位置情報取得手段１３は、ＧＰＳ（Global Positioning Service）等の位置計測手段を用い、操作端末１０自らの位置情報を取得する。また、配車要求送信手段１６は、実際に配車を依頼することが確定したときに、配車要求を配車サーバ１００に送信する。
【００４０】
確認信号出力手段１４は、ショートカット選択手段１２から呼び出され、操作端末１０の入力手段１７で所定の操作（第１の所定の操作）をすることによって、目的地と配車希望場所の情報を、音声、文字、画像のいずれかで、又はそれらを組合せて、確認するための確認信号を操作端末１０の出力手段１８に出力する。
【００４１】
利用者は、この確認信号がショートカット選択手段１２で選択した配車要求に合致していることを出力手段１８の表示装置などで確認後、操作端末１０の入力手段１７で別の所定の操作（第２の所定の操作）をすると、配車要求送信指示手段１５が、配車要求信号の送信指示を配車要求送信手段１６に送り、配車要求送信手段１６は、配車要求情報を配車サーバ１００のショートカット受信手段１０２に出力する。
【００４２】
また、操作端末１０から送信されたショートカット情報から取得した目的地及び配車希望場所の情報を、配車要求確認情報として操作端末に送信する配車要求確認送信手段１０５をサーバ側に備えてもよい。
【００４３】
このようにすることで、ショートカットの内容の配車依頼をサーバに出す前に利用者が確認できる。また、端末内に、文字や画像の表示手段又は音声出力手段を備えていない場合は、そのような出力手段を備えた端末周辺の外部の機器（例えばテレビ）に、確認信号を出力することで、外部の機器の出力手段から、文字、画像、音声を出力することができる。
【００４４】
なお、図示は省略するが、操作端末１０のメモリには、操作端末１０の固有情報（例えば識別コード）、デフォルトの出発地（現在地、自宅、又は指定場所など）、利用者がよく行く目的地が登録されていてもよい。したがって、出発地を毎回入力する必要はなく、また、よく行く目的地ほど、若いショートカット番号（例えば「１」、「２」）を自動的に割り当てるようにすることもできる。
【００４５】
（操作端末の実施形態）
操作端末１０には、様々な実施形態がある。操作端末１０は、無線又は有線の通信機能を有し、例えば、専用端末、家電製品の操作機能を有するリモコン、固定電話機若しくは携帯電話機、専用アプリケーションを導入したスマートフォン若しくはタブレット端末、パーソナルコンピュータ、通信機能を有する杖若しくは歩行器、又は公共施設などに設置される専用機器など、様々な機器で実現可能である。以下、操作端末１０の様々な実施形態について順に説明する。
【００４６】
（専用端末）
図４は、操作端末１０の実施形態１として、無線の専用端末１０ａを示している。専用端末１０ａは、縦長の矩形状の筐体２０（ＩＣレコーダ程度の大きさが望ましい）と、筐体２０にモニター７０と、ショートカット選択手段１２として、「１」、「２」、「３」と記載されたショートカットボタンと、マイク８０と、十字キー８１と、スピーカー８２とを備えている。また、図示は省略するが、外部の機器との接続のための、画像入出力端子及び音声入出力端子などを備えていてもよい。ショートカットボタン「１」、「２」、「３」のボタンを所定の操作（例えば長押し）をすると、モニター７０に各ボタンに登録されたショートカット情報が表示される。また、マイク８０とスピーカー８２は、音声入出力のために使用される。また、十字キー８１は、モニター７０の表示画面をスクロールさせたり、モニター７０に表示された項目を選択したり、決定したりするときに使用される。
【００４７】
図５に示すように、専用端末１０ａのモニター７０は、ショートカット登録手段１１から読み出した目的地が、目的地表示欄７４に「１」、「２」、「３」と共に表示され、また、３つの目的地及び利用者の所在地を含む周辺地図７２が表示されるようにしてもよい。
【００４８】
利用者は、希望する目的地の番号に対応するショートカットボタン（ショートカット選択手段１２）を押すことにより、対応する目的地の情報が、配車サーバ１００に送信される。
【００４９】
また、専用端末１０ａには、交通系ＩＣカードの機能を備えていてもよい。すなわち、車両１１０に乗降する際に、専用端末１０ａを車内のカードリーダにタッチすれば、乗車料金の支払ができる。同時に、図１の利用者識別手段１９にもなる。したがって、車両に乗るときは、この専用端末１０ａが１台あれば、カードなどを別途持ち歩く必要がなくなる。
【００５０】
（家電製品のリモコン）
図６は、操作端末１０の実施形態２として、家電製品のリモコン１０ｂを示す。リモコン１０ｂは、例えば、縦長のリモコンのような外観を有する筐体２０と、筐体２０に設けられた、ショートカット操作のための複数のファンクションボタン３０（ショートカット選択手段１２）とを備える。
【００５１】
リモコン１０ｂは、例えば、テレビのリモコン用のチャネルボタン４０(数字ボタン）を設け、テレビのリモコンの機能を有していてもよい。したがって、リモコン１０ｂの外観は、ファンクションキー３０（ショートカット選択手段１２）の部分を除き、一般的なテレビのリモコンの外観と同じである。また、リモコン１０ｂは、図８に示すように、メモリ５０と、通信部６０とを備え、モニター７０を備えていてもよい。このようにすることで、家庭内にある多数のリモコンの数を減少させることができる。
【００５２】
（電話機）
図７は、操作端末１０の実施形態３として、電話機１０ｃを示している。電話機１０ｃは、固定電話又は携帯電話であり、例えば、筐体２１０と、プッシュボタン２２０と、モニター２３０と、受話器２４０とを含む。通信部２６０が電話機１０ｃと電話回線２５０で接続していると、モニター２３０に複数の目的地が表示され、プッシュボタン２２０を短縮番号ボタンのように使うか、受話器２４０に音声を入力することにより、電話機１０ｃのメモリに登録されている目的地を選択することができ、いずれも、ショートカット選択手段１２として機能する。電話機１０ｃが固定電話であり、短縮番号の登録機能を有しない場合には、よく使う短縮番号（ショートカット番号）を控えたメモ用紙を電話機１０ｃの側に掲示しておくことが好ましい。
【００５３】
電話機１０ｃが携帯電話の場合、通信部２６０は、携帯電話の通信部であり、一般電話回線に設けられた基地局アンテナと無線接続する。また、携帯電話には、一般的にＧＰＳが搭載されているので、利用者が短縮ダイヤルボタン（ショートカット選択手段１２）を操作した際に、電話機１０ｃは、現在位置を配車サーバ１００に送信することが好ましい。これにより、利用者が自宅以外の場所にいても、現在地に配車をすることができる。
【００５４】
（タブレット端末又はスマートフォン）
図８は、操作端末１０の実施形態４として、タブレット端末１０ｄを示している。スマートフォンでも同様である。どちらも専用のアプリケーションがインストールされているものとする。タブレット端末１０ｄは、板状の筐体２０にタッチパネル形式のモニター７０を備えている。モニター７０には、ショートカット選択手段１２として、ボタン画像が表示され、利用者がボタン画像をタップすることで配車依頼をすることができる。なお、図示は省略するが、ショートカットの登録が専用アプリケーションから簡単に行えるようになっている。
【００５５】
なお、電話機の短縮ダイヤルに本システムのショートカット情報を登録するための受付窓口の電話番号を登録しておき、ショートカット情報の登録を、自動音声応答で行うようにしてもよい。
【００５６】
（パーソナルコンピュータ）
図９は、操作端末１０の実施形態５として、パーソナルコンピュータ１０ｅを示している。パーソナルコンピュータ１０ｅは、キーボード３４０、マウス、マイクがショートカット選択手段１２として利用できる。また、パーソナルコンピュータ１０ｅは、モニター３１０のような表示装置を備える。モニター３１０には、あらかじめ設定された目的地が表示された表示欄３２０や、選択された目的地の情報を送信する送信ボタン３３０が表示されている。マウスでクリックしたり、モニター３１０がタッチパネルであればモニター３１０をタップしたりすることにより、選択された場所にある表示欄３２０に記載された目的地が選択され、送信ボタン３３０をクリックすることにより、目的地の情報として、送受信アンテナ３５０を介して配車サーバ１００に送信される。
【００５７】
表示欄３２０に表示されている目的地を別の目的地に変更したい場合には、該当する表示欄３２０に新しい目的地を入力し、送信ボタン３３０をクリックすることにより、更新される。
【００５８】
（その他の専用機器）
図１０（ａ）は、実施形態６として、杖１０ｆを示している。この杖１０ｆは、通信機能とショートカット情報を記憶するメモリを有し、ショートカット選択手段１２として、複数のボタンが杖のシャフト部４０１に備えられている。
【００５９】
また、図１０（ｂ）は、実施形態７として、高齢者等の歩行を補助するための機器である歩行器１０ｇ（シルバーカーと呼ぶこともある）を示している。歩行器１０ｇも通信機能とショートカット情報を記憶するメモリを有し、ショートカット選択手段１２として、複数のボタンが図示するような補助取手部４０２に備え付けられている。杖も歩行器も通常の歩行に支障がある高齢者にとっては身近なものであるので、普段持ち歩いている杖や歩行器を使って、必要なときに車両を配車してもらうことができる。なお、杖１０ｆや歩行器１０ｇにショートカット情報を登録する手段が別途設けられるのは言うまでもない。また、杖１０ｆや歩行器１０ｇからサーバにアクセスして、サーバのショートカット登録ＤＢ１０１から、その利用者のショートカット情報を受信して、上記の複数のボタンに割り当てるようにしてもよい。なお、杖１０ｆ、歩行器１０ｇには、利用者を識別するＩＤが埋め込まれているものとする。
【００６０】
図１０（ｃ）は、実施形態８として、公共施設（役所、病院、福祉施設等）やその他施設（劇場、コンサートホール等）の柱又は壁４０３などに備え付けられた専用機器１０ｈを示している。図示するように、専用機器１０ｈには、利用者識別手段１９と、ショートカット選択手段１２として、複数のボタン（ショートカットボタン）を備えている。利用者識別手段１９は、例えば、顔認証、声紋認証、指紋認証、掌認証等の生体認証手段によって、又は利用者の端末ＩＤ若しくは衣類や体に埋め込まれたマイクロチップのＩＤを読出し、利用者を識別する。したがって、公共の場所の専用機器１０ｈに向かって、「自宅」と発音した場合は、声紋認識や顔認識などと合わせて、ユーザ別の「自宅」を決定できる。
【００６１】
また、専用機器１０ｈは、通信機能を備え、利用者識別手段１９で識別した利用者ＩＤをサーバに送信し、サーバのショートカット登録ＤＢ１０１から、その利用者のショートカット情報を受信して、ショートカットボタンに割り当てる。したがって、専用機器１０ｈは、公共の施設の設備でありながら、あたかも自分専用の操作端末１０として利用できる。
【００６２】
（実施形態の効果）
以上説明したように、本システムの操作端末及び配車サーバは、利用者がよく利用する目的地への配車依頼を、ショートカット選択手段からワンタッチで行うことを可能にする。操作端末は、利用者が所持する専用端末、家電製品のリモコン、電話機、スマートフォン若しくはタブレット端末、パーソナルコンピュータ、通信機能が備わった杖若しくは歩行器、又は施設に設置された専用機器のいずれかであってよく、端末の形態に合ったショートカット選択手段を設定することができる。また、操作端末から外部に信号を出力できるので外部の機器も利用できる。それ以外にも様々な効果を奏することは既に述べたとおりであるが、更に以下の可能性、応用について付記する。
【００６３】
（ビッグデータの活用）
配車サーバ側に蓄積されるショートカット登録ＤＢ及び配車手段の配車実績データは、各地域における住民の行動予測にもつながるビッグデータとなり、本システムのようなデマンド型の配車システムのみならず、定まったルートの車両サービスの提供にも寄与する可能性がある。その他にも、今後新たにまちづくりをする際の住宅や店舗の適正配置にもつながる可能性がある。
【００６４】
（要救護人の搬送）
また、本システムの操作端末は、徘徊してしまうお年寄を助けるとき、急病人や気を失った人を発見したとき、更には酔っ払いを相手にするとき、などに利用する機器としても有効である。すなわち、ショートカットキーに割り当てられた情報を、徘徊人等を見つけた人が確認し、自宅に帰らせることも可能であるし、具合が悪そうな場合は、行きつけの病院に連れて行くことも可能である。その際の料金は操作端末で決済することも可能なので、徘徊者等を見つけた人の負担も生じない。また、更なる実施態様として、目的地に電話がかかるようになっていてもよい。そのようにすれば、目的地に事情を告げて車に乗せることが可能となる。
【００６５】
以上、実施形態を用いて本発明を説明したが、本発明の技術的範囲は上記実施形態に記載の範囲に限定されないことは言うまでもない。上記実施形態に、多様な変更又は改良を加えることが可能であることが当業者に明らかである。また、その様な変更又は改良を加えた形態も本発明の技術的範囲に含まれ得ることが、特許請求の範囲の記載から明らかである。
【００６６】
なお、上記の実施形態では、本発明を物の発明として、配車システムにおける操作端末及び配車サーバについて主に説明したが、本発明は、方法の発明（配車を依頼するための入力方法）又は上記入力方法のそれぞれのステップをコンピュータに実行させるプログラムの発明としても捉えることもできる。
【符号の説明】
【００６７】
１０  操作端末
１０ａ  専用端末
１０ｂ  リモコン
１０ｃ  電話機
１０ｄ  タブレット端末又はスマートフォン
１０ｅ  パーソナルコンピュータ
１０ｆ  杖
１０ｇ  歩行器
１０ｈ  公共施設等に備えられた専用機器
１１  ショートカット登録手段
１２  ショートカット選択手段
１３  端末位置情報取得手段
１４  確認信号出力手段
１５  配車要求送信指示手段
１６  配車要求送信手段
１７  入力手段
１８  出力手段
１９  利用者識別手段
２０  筐体
３０  ファンクションキー
４０  チャネルボタン
５０  メモリ
６０  通信部
７０  モニター
７４  目的地表示欄
８０  マイク
８１  十字キー
８２  スピーカー
１００  配車サーバ
１０１  ショートカット登録ＤＢ
１０２  ショートカット受信手段
１０３  配車手段
１０４  地図情報送信手段
１０５  配車要求確認送信手段
１１０  車両
１１１  配車サーバ通信部
１１２  車両位置情報取得部
１１３  車両端末
１１３ａ  表示装置
１１３ｂ  入出力装置
２１０  筐体
２２０  プッシュボタン
２３０  モニター
２４０  受話器
２５０  電話回線
２６０  通信部
３１０  モニター
３２０  表示欄
３３０  送信ボタン
３４０  キーボード
３５０  送受信アンテナ
４０１  シャフト部
４０２  補助取手部
４０３  柱又は壁
【図１】
2018173775.tif 000003
【図２】
2018173775.tif 000004
【図３】
2018173775.tif 000005
【図４】
2018173775.tif 000006
【図５】
2018173775.tif 000007
【図６】
2018173775.tif 000008
【図７】
2018173775.tif 000009
【図８】
2018173775.tif 000010
【図９】
2018173775.tif 000011
【図１０】
2018173775.tif 000012